(57)【要約】【課題】円形の鋸刃を回転させて切断加工を行う卓上形の切断機であって、定格電圧３６Ｖの電動モータを駆動源とする３６Ｖ仕様の卓上切断機には、専用の３６Ｖ仕様のバッテリを取り付ける必要があった。本発明は、普及度の高い１８Ｖバッテリを取り付けて３６Ｖ仕様の卓上切断機を利用できるようにすることで、バッテリコストの低減を図りつつ３６Ｖ仕様の卓上切断機の使い勝手を高めてその普及を図ることを目的とする。【解決手段】１８Ｖ仕様の充電式バッテリ３１，３１を２個直列に取り付けて３６Ｖ仕様の卓上切断機Ｃ１を利用できるようにする。普及度の高い電動工具用の１８Ｖバッテリを流用することによりバッテリコストを低減しつつ３６Ｖ仕様の卓上切断機Ｃ１を利用することができる。【選択図】図１
2014148023.tif 000002
【特許請求の範囲】
【請求項１】
切断材を載置するテーブルと、該テーブルに対して上下に移動操作可能で、電動モータにより回転する円形の回転刃具を備えた切断機本体を備えた卓上形の切断機であって、
前記切断機本体に、充電可能なスライド取り付け形式のバッテリを取り付けるためのバッテリ取り付け部を複数箇所備えた卓上切断機。
【請求項２】
請求項１記載の卓上切断機であって、前記複数箇所のバッテリ取り付け部は、前記回転刃具の面直方向に沿って横並び状態で配置された卓上切断機。
【請求項３】
請求項１又は２記載の卓上切断機であって、前記切断機本体を上方の待機位置側に付勢する付勢手段を備えており、前記バッテリ取り付け部に取り付けたバッテリの重量を前記切断機本体を前記待機位置側に戻すための重りとして機能させる構成とした卓上切断機。
【請求項４】
請求項１〜３の何れか１項に記載した卓上切断機であって、前記切断機本体は、当該切断機本体の上下移動操作時に使用者が把持するメイングリップ部と、該メイングリップ部の前記使用者とは反対側の端部に、当該切断機本体が下動端に保持された状態において前記テーブル上面に平行となる持ち運び用のサブグリップ部を備えており、前記複数箇所のバッテリ取り付け部が該サブグリップ部の前記メイングリップ部とは反対側の端部に配置された卓上切断機。
【請求項５】
請求項１〜４の何れか１項に記載した卓上切断機であって、前記切断機本体は、前記テーブルに対して上下に傾動操作可能に支持されており、該切断機本体の重心位置が当該切断機本体の上下傾動途中で当該切断機本体の傾動支点を通る鉛直面に対して反対側に変位する構成とした卓上切断機。
【請求項６】
請求項１記載の卓上切断機であって、前記複数箇所のバッテリ取り付け部が電源コードを介して前記切断機本体に接続された卓上切断機。
【請求項７】
請求項６記載の卓上切断機であって、バッテリを取り付けたバッテリ取り付け部を当該卓上切断機と同じ設置面上に設置して前記テーブルと同じ高さの補助テーブルとして利用可能な卓上切断機。
【発明の詳細な説明】
【技術分野】
【０００１】
この発明は、例えば円形の砥石あるいは鋸刃やチップソー等の回転刃具を備えた卓上形の切断機に関する。
【背景技術】
【０００２】
卓上形の切断機に関する技術が、例えば下記の特許文献に開示されている。この卓上切断機は、上面に切断材を載置するためのテーブルと、このテーブルの上方に支持されて上下に移動操作する切断機本体を備えるもので、回転刃具を回転させつつ切断機本体を下動させて、テーブル上に固定した切断材に回転刃具を切り込むことにより切断加工が行われる。
近年、電動ねじ締め機や切断工具等の電動工具一般についてコードレス化が図られており、この種の卓上切断機についても充電可能なバッテリを電源とするものが普及してきている。この種の卓上切断機に限らず、電動工具のバッテリには、出力電圧が例えば１８Ｖや３６Ｖのものが提供されている。主として手持ち工具で比較的小形で小出力の機種であれば１８Ｖ出力のバッテリ（１８Ｖバッテリ）が用いられ、より高出力を要する比較的大形（高出力）の切断工具等の場合にはより大形の３６Ｖ出力のバッテリ（３６Ｖバッテリ）が用いられる。
【先行技術文献】
【特許文献】
【０００３】
【特許文献１】特開２０１０−１７３０２９号公報
【特許文献２】特開２００７−８３６１０号公報
【発明の概要】
【発明が解決しようとする課題】
【０００４】
しかしながら、従来３６Ｖバッテリを専用電源とする高出力の切断工具について、１８Ｖバッテリを流用することができないため、使用者は高出力の切断工具専用の３６Ｖバッテリを別途用意せざるを得ず、この点でコスト高になる問題があり、また高出力の切断工具の取り扱い性をより高める余地があった。
そこで、本発明は、比較的高出力の切断工具の電源として低出力用のバッテリを利用できるようにすることで、当該切断工具の利便性及び取り扱い性を一層高めることを目的とする。
【課題を解決するための手段】
【０００５】
第１の発明は、切断材を載置するテーブルと、該テーブルに対して上下に移動操作可能で、電動モータにより回転する円形の回転刃具を備えた切断機本体を備えた卓上形の切断機であって、切断機本体に、充電可能なスライド取り付け形式のバッテリを取り付けるためのバッテリ取り付け部を複数箇所備えた卓上切断機である。
第１の発明によれば、低出力用のバッテリを２個取り付けて高出力の切断工具を利用することができ、これにより低出力用のバッテリを有効利用できるとともに、高出力の切断工具の利便性及び取り扱い性を一層高めることができる。
取り付け可能なバッテリとしては、その一面に設けた一対のレール受け部をバッテリ取り付け部側のレールに係合させて取り付けるスライド取り付け形式のバッテリが適用される。
第２の発明は、第１の発明において、複数箇所のバッテリ取り付け部は、回転刃具の面直方向に沿って横並び状態で配置された卓上切断機である。
第２の発明によれば、複数箇所のバッテリを回転刃具の面方向についてコンパクトに取り付けることができ、ひいては当該卓上切断機の同方向についてのコンパクト性を損なうことなく２個のバッテリを取り付けることができる。
第３の発明は、第１又は第２の発明において、切断機本体を上方の待機位置（上死点）側に付勢する付勢手段を備えており、バッテリ取り付け部に取り付けたバッテリの重量を切断機本体を待機位置側に戻すための重りとして機能させる構成とした卓上切断機である。
第３の発明によれば、切断機本体を上方の待機位置に戻すための付勢力を小さくすることができ、これにより当該付勢力に抗して切断機本体を下動させる際の操作力を小さくすることができるので、当該卓上切断機の操作性及び作業性を高めることができる。
第４の発明は、第１〜第３の何れか１項に記載した卓上切断機であって、切断機本体は、当該切断機本体の上下移動操作時に使用者が把持するメイングリップ部と、該メイングリップ部の前記使用者とは反対側の端部に、当該切断機本体が下動端位置（下死点）に保持された状態において前記テーブル上面に平行となる持ち運び用のサブグリップ部を備えており、前記複数箇所のバッテリ取り付け部が該サブグリップ部の前記メイングリップ部とは反対側の端部に配置された卓上切断機である。
第４の発明によれば、使用者がメイングリップ部若しくはサブグリップ部を把持する際にバッテリ及びバッテリ取り付け部が邪魔にならないことから、当該卓上切断機の操作性及び取り扱い性を損なうことなく複数個のバッテリを取り付けることができる。
第５の発明は、第１〜第４の何れか一つの発明において、切断機本体は、テーブルに対して上下に傾動操作可能に支持されており、切断機本体の重心位置が当該切断機本体の上下傾動途中で当該切断機本体の傾動支点を通る鉛直面に対して反対側に変位する構成とした卓上切断機である。
第５の発明によれば、切断機本体の重量を上方の待機位置及び下動端位置の双方において当該切断機本体を位置保持するための外力として作用させることができ、これにより当該切断機本体を上下動させる際の操作性を高めることができる。
第６の発明は、第１の発明において、複数箇所のバッテリ取り付け部が電源コードを介して切断機本体に接続された卓上切断機である。
第６の発明によれば、切断機本体の軽量化を図ることができ、これにより切断機本体を上下動させる際の操作性をよくすることができる。
第７の発明は、第１の発明において、バッテリを取り付けたバッテリ取り付け部を当該卓上切断機と同じ設置面上に設置して前記テーブルと同じ高さの補助テーブルとして利用可能な卓上切断機である。
第７の発明によれば、バッテリを取り付けたバッテリ取り付け部に補助テーブルとしての別の機能を併せ持たせることができ、当該バッテリ取り付け部ひいては卓上切断機の機能性を高めることができる。
【図面の簡単な説明】
【０００６】
【図１】第１実施形態の卓上切断機の平面図である。
【図２】第１実施形態の卓上切断機の右側面図である。
【図３】２個のバッテリをそれぞれバッテリ取り付け部から取り外した状態を図２中矢印(III)方向から見た図である。
【図４】バッテリ単体の斜視図である。
【図５】バッテリ単体を図４中矢印(V)方向から見た上面図である。
【図６】バッテリ単体を図４中矢印(VI)方向から見た後面図である。
【図７】第２実施形態の卓上切断機の平面図である。
【図８】第２実施形態の卓上切断機の右側面図である。
【図９】第３実施形態の卓上切断機の平面図である。
【図１０】第３実施形態の卓上切断機の右側面図である。
【図１１】第４実施形態の卓上切断機の平面図である。
【図１２】第４実施形態の卓上切断機の右側面図である。
【図１３】第５実施形態の卓上切断機の平面図である。
【図１４】第５実施形態の卓上切断機の前面図である。
【図１５】第６実施形態の卓上切断機の平面図である。
【図１６】第６実施形態の卓上切断機の右側面図である。
【図１７】第７実施形態の卓上切断機の右側面図である。本図は、切断機本体が上方の待機位置（上死点）に戻された状態を示している。
【図１８】第７実施形態の卓上切断機の右側面図である。本図は、切断機本体が下動端位置（下死点）まで下動操作された状態を締めている。
【図１９】第８実施形態の卓上切断機の平面図である。
【図２０】第８実施形態の卓上切断機の右側面図である。
【発明を実施するための形態】
【０００７】
次に、本発明の第１〜第８実施形態を図１〜図２０に基づいて説明する。以下説明する各実施形態は、電源としてのバッテリの取り付け形態が異なっており、卓上切断機としての基本的構成については同様であり、また従来公知の構成と同様であるので、同位の符号を用いて詳細な説明を省略する。
図１及び図２に示すように第１実施形態の卓上切断機Ｃ１は、上面に切断材Ｗを固定するためのテーブル２と、このテーブル２を水平方向に一定の角度範囲で回転可能に支持するベース３と、テーブル２の後部（図１において左端部）に設けた本体支持部４と、この本体支持部４によってテーブル２の上方に支持された切断機本体１０を備えている。図１及び図２においてこの卓上切断機Ｃ１の左側に使用者が位置する。
テーブル２の上面には、切断材Ｗをテーブル面方向に位置決めするための位置決めフェンス５が配置されている。この位置決めフェンス５はベース３の左右側部に設けた補助テーブル部３ａ，３ａ間に跨って固定されており、テーブル２の上面とは僅かな隙間をおいて配置されることによりテーブル２の水平回転が許容されるようになっている。位置決めフェンス５により位置決めされた切断材Ｗは、図示省略したクランプ装置によってテーブル２の上面に沿って固定される。
本体支持部４は、切断機本体１０をテーブル２に対して水平方向にスライド可能に支持する左右一対のスライドバー６，６と、切断機本体１０を使用者から見て左右（図２において紙面に直交する方向）に傾斜させる左右傾斜支持機構７と、切断機本体１０を上下傾動軸９を介して上下に傾動可能に支持する本体支持アーム８を備えている。スライドバー６，６を介して切断機本体１０がテーブル面方向に沿って前後方向にスライド可能に支持されている。両スライドバー６，６による切断機本体１０の後方へのスライドにより切断材Ｗの切断が進行する方向（切断進行方向）となる。固定ねじ６ａを締め込むことにより切断機本体１０のスライド位置を固定することができる。
左右傾斜支持機構７は、テーブル２の後部に取り付けた傾斜基台部７ｂと、傾斜基台部７ｂに対して左右傾動軸７ｃを介して相対回転可能に結合された傾斜可動部７ｄを備えている。傾斜可動部７ｄの上部に本体支持アーム８が一体に設けられている。左右傾動軸７ｃの後端部に取り付けた固定レバー７ａを締め込んで当該左右傾動軸７ｃに設けたねじ軸部を締め込むことにより傾斜基台部７ｂに対する傾斜可動部７ｄを相対回転不能に固定することができ、これにより切断機本体１０を直角切り位置あるいは左方又は右方の傾斜位置に固定することができる。
【０００８】
本体支持アーム８は、Ｌ字形に湾曲しており、その湾曲先端側に上下傾動軸９を介して切断機本体１０の本体ケース１１が上下に傾動可能に支持されている。この本体ケース１１によって円形の回転刃具１２の上側ほぼ半周の範囲が覆われている。回転刃具１２は、スピンドル（図では見えていない）に取り付けられている。スピンドルは本体ケース１１に回転支持されており、本体ケース１１の背面側（右側面）に取り付けた電動モータ１３と減速ギヤ部１８を経て回転する。
図２に示すように回転刃具１２の下側ほぼ半周の範囲は、可動カバー１６で覆われるようになっている。この可動カバー１６は、図では見えていないリンク機構を介して切断機本体１０の上下傾動動作に連動して開閉される。図２に示すように切断機本体１０が上死点に位置する状態では可動カバー１６は閉じられ、下方へ傾動させると図２において時計回り方向に回動して徐々に開かれていく。
このように構成された切断機本体１０は、上下傾動軸９の周囲に取り付けた捩りばね（図では見えていない）により、上方へ傾動する方向に付勢されている。使用者はこの付勢力に抗して切断機本体１０を押し下げ操作して切断加工を行うことができる。切断機本体１０の押し下げ操作を解除すると、切断機本体１０はこの付勢力により上方の待機位置（上死点）に戻される。
本体ケース１１の背面側であって電動モータ１３と減速ギヤ部１８との接合部付近には、使用者が把持する大型のハンドル部２０が設けられている。ハンドル部２０には、前側のメイングリップ部２１と後側のサブグリップ部２２が設けられている。使用者は前側のメイングリップ部２１を把持してトリガ形式のスイッチレバー２３を指先で引き操作すると電動モータ１３が起動して回転刃具１２が回転する。また、使用者がメイングリップ部２１を把持して当該切断機本体１０を下方へ傾動させることにより回転する回転刃具１２を切断材Ｗに対して切り込むことができる。さらに、使用者はメイングリップ部２１を把持して切断機本体１０を切断進行方向に沿ってスライドさせることができる。
サブグリップ部２２は、メイングリップ部２１に対してＬ字形に屈曲する方向に延びている。このサブグリップ部２２は、切断機本体１０を下死点に位置させた状態ではテーブル面方向に対してほぼ平行に位置する状態となる。このサブグリップ部２２は、切断機本体１０を下死点に固定して当該卓上切断機Ｃ１を持ち運ぶ際のキャリングハンドルとして機能する。
【０００９】
サブグリップ部２２の後部であって当該ハンドル部２０の後端部にバッテリベース３０を介して２個のバッテリ３１，３１が取り付けられている。バッテリベース３０は、電動モータ１３の後面から延びるハンドルアーム２４とサブグリップ部２３の後部との結合部付近において上下左右に張り出す平板形状を有している。図３に示すようにこのバッテリベース３０の後面に２箇所のバッテリ取り付け部３２，３２が設けられている。２箇所のバッテリ取り付け部３２，３２は、左右方向に横並び（並列）状態で配置されている。両バッテリ取り付け部３２，３２のそれぞれに１つの１８Ｖバッテリ３１が取り付けられる。本実施形態では、バッテリケース内に複数本のセルを収容したリチウムイオンバッテリを取り付けることができる。この１８Ｖバッテリ３１，３１は、電動ねじ締め機等の他の電動工具の電源としても利用されるスライド取り付け形式のバッテリで、当該卓上切断機Ｃ１との間で使い回す（流用する）ことができる。また、バッテリ３１，３１は、バッテリ取り付け部３２，３２から取り外して、別途用意した充電器で充電することにより繰り返し電源として利用することができる。
図４〜図６に示すように直方体形状を有するバッテリ３１の上面には、左右一対のレール受け部３１ａ，３１ａが設けられている。両レール受け部３１ａ，３１ａ間には、正負の端子受け部３１ｂ，３１ｃが配置されている。正負の端子受け部３１ｂ，３１ｃ間には、充電器で充電する際に当該充電器との間で制御信号を送受信するためのコネクタ部３１ｄを備えている。また、バッテリ３１の上面後部には、ロック爪３１ｅが設けられている。このロック爪３１ｅは上方へ突き出す方向にばね付勢されている。このロック爪３１ｅは、後面に設けたアンロックボタン３１ｆを指先で押し下げ操作することによりばね付勢に抗して下方のアンロック位置に移動させることができる。
【００１０】
図３に示すように両バッテリ取り付け部３２，３２は、相互に同様の構成を備えている。また、両バッテリ取り付け部３２，３２は、電気的に相互に直列に接続されている。バッテリ取り付け部３２には、左右一対のレール部３２ａ，３２ａが設けられている。両レール部３２ａ，３２ａ間には、正負の接続端子３２ｂ，３２ｃが配置されている。両バッテリ取り付け部３２の図示上部には、バッテリ３１のロック爪３１ｅ（図４参照）が嵌り込む係合凹部３２ｄが設けられている。
図３に示すようにバッテリ取り付け部３２に対してバッテリ３１を図示下方へスライド（平行移動）させつつそのレール受け部３１ａ，３１ａをレール部３２ａ，３２ａに係合させることにより当該バッテリ３１をバッテリ取り付け部３２に対して機械的に結合することができる。バッテリ３１がバッテリ取り付け部３２に機械的に結合されると、同時にバッテリ取り付け部３２側の接続端子３２ｂ，３２ｃがバッテリ３１側の端子受け部３１ｂ，３１ｃに進入して電気的に接続される。また、バッテリ３１がバッテリ取り付け部３２に対して機械的に結合されると、ロック爪３１ｅが係合凹部３２ｄ内に弾性的に嵌り込んで当該バッテリ３１がスライド方向移動不能に固定された取り付け状態にロックされる。この明細書において、スライド取り付け形式のバッテリ３１，３１とは、その一面（上面）に設けた一対のレール受け部３１ａ，３１ａに、バッテリ取り付け部３２側のレール部３２ａ，３２ａを係合させつつ平行移動させて取り付ける形態のバッテリを指す。
取り付けたバッテリ３１をバッテリ取り付け部３２から取り外す際には、アンロックボタン３１ｆを押し下げ操作した状態で図３においてバッテリ３１を上方へ引き抜けばよい。これによりレール受け部３１ａ，３１ａがレール部３２ａ，３２ａから外れ、接続端子３２ｂ，３２ｃが端子受け部３１ｂ，３１ｃから離脱してバッテリ３１がバッテリ取り付け部３２から取り外される。このようにバッテリ３１，３１の取り付け、取り外し方向を上下方向とすることにより使用者はバッテリ３１，３１のバッテリ取り付け部３２，３２に対する取り付け、取り外し操作を楽に行うことができる。また、バッテリ３１，３１を上方へスライドさせて取り外す構成であるので、当該バッテリ３１，３１の不用意な取り付け操作による落下を未然に防ぐことができる。
【００１１】
以上のように設けたバッテリ取り付け部３２，３２に２個の１８Ｖバッテリ３１，３１を取り付けると、両バッテリ３１，３１は電気的に直列に接続されてその合計電圧である定格電圧３６Ｖを出力する電源となる。両バッテリ３２，３２で出力される定格電圧３６の電源により電動モータ１３が起動して回転刃具１２が回転する。
図２に示すように切断機本体１０を上死点に位置させた状態では、バッテリ３１，３１の重心Ｇは、当該切断機本体１０の上下傾動中心（上下傾動軸９の軸心）を通る鉛直面（基準線Ｊ）に対して後側に位置する。これに対して、切断機本体１０を下死点に位置させた状態では、バッテリ３１，３１の重心Ｇは、基準線Ｊに対して前側に位置する。このため、切断機本体１０の下動操作に伴ってバッテリ３１，３１の重心Ｇは、基準線Ｊに対して後側から前側へ変位し、逆に切断機本体１０の上動操作に伴ってバッテリ３１，３１の重心Ｇは基準線Ｊに対して前側から後側に変位する。
切断機本体１０を上死点に位置させてバッテリ３１，３１の重心Ｇを基準線Ｊに対して後側に位置させた状態では、当該バッテリ３１，３１の重量が切断機本体１０を上死点に位置保持するための外力（重り）として作用することから、その分だけ切断機本体１０を上方の待機位置側に付勢するための付勢手段（捩りばね）の付勢力を弱めることができ、これにより当該付勢手段の小型化を図ることができる。
切断機本体１０を下動させる途中の段階でバッテリ３１，３１の重心Ｇが基準線Ｊに対して前側へ変位すると、当該両バッテリ３１，３１の重量は切断機本体１０を下動させるための外力（重り）として作用し、従って捩りばねの付勢力を一部相殺する力として作用する。このことから、この段階では使用者の押し下げ操作力を軽減しつつ切断材Ｗに対する切断刃１２の十分な押し付け力（切断力）を得ることができ、この点で当該卓上切断機Ｃ１の作業性を高めることができる。
【００１２】
図１及び図２に示すようにハンドル部２０の後部において、電動モータ１３の後面から後方へ延びるハンドルアーム２４には、コントローラ収容部２５が側方へ張り出す状態に設けられている。このコントローラ収容部２５内に、電源回路及びモータ制御回路を含むコントローラが収容されている。コントローラ収容部２５内には、電動モータ１３の冷却風が吹き込まれてコントローラの冷却がなされるようになっている。
図１に示すように平面的に見て左側のバッテリ３１の幅方向中心は、ハンドル部２０の左右幅方向中心に一致している。また、同じく平面的に見て右側のバッテリ３１は電動モータ１３とほぼ同等の距離だけハンドル部２０から右側方へ張り出した位置に配置されている。
以上のように構成した第１実施形態の卓上切断機Ｃ１によれば、定格電圧３６Ｖの電動モータ１３を駆動源とする３６Ｖ仕様の卓上切断機Ｃ１を、１個の３６Ｖバッテリではなく２個の１８Ｖバッテリ３１，３１を電源として利用することができる。このことから、使用者は１８Ｖ仕様の電動工具用の電源として既に所有している１８Ｖバッテリ３１，３１を当該３６Ｖ仕様の卓上切断機Ｃ１の電源として流用することができ、これによりバッテリコストを低減しつつ当該３６Ｖ仕様の卓上切断機Ｃ１の利便性及び取り扱い性（使い勝手）を一層高めることができる。
【００１３】
図７及び図８に第２実施形態の卓上切断機Ｃ２が示されている。図８に示すように第２実施形態の卓上切断機Ｃ２は、メイングリップ部２１のみを備えて持ち運び用のサブグリップ部２２を備えない点で第１実施形態とは異なっている。ハンドル部２０の後部であって電動モータ１３の後面から台座枠部４０が後方へ張り出す状態に設けられている。この台座枠部４０の上面と後面にそれぞれバッテリ取り付け部３２が設けられている。上面側のバッテリ取り付け部３２と後面側のバッテリ取り付け部３２にそれぞれ１８Ｖバッテリ３１を取り付けることができる。第１実施形態と同じく、２個の１８Ｖバッテリ３１，３１は、電気的に直列に接続されて定格電圧３６Ｖの電源として機能する。
このため、第２実施形態の卓上切断機Ｃ２によっても、普及度の高い１８Ｖバッテリ３１，３１を流用して３６Ｖ仕様の卓上切断機Ｃ２を利用することができる。
図８中白抜き矢印で示すように第２実施形態では、上面側のバッテリ３１の取り付け方向は前方斜め上方に向けた方向であり、後面側のバッテリ３１の取り付け方向は前方斜め下方に向けた方向となっている。
図９及び図１０には、第３実施形態の卓上切断機Ｃ３が示されている。第３実施形態の卓上切断機Ｃ３では、２個のバッテリ３１，３１が上面（バッテリ取り付け部に対する結合側）を相互に対向させた向きに取り付けられる点で第１、第２実施形態とは異なっている。第３実施形態の卓上切断機Ｃ３は、第２実施形態と同じくハンドル部２０の後部に台座枠部４０が後方へ張り出す状態に設けられている。この台座枠部４０の上面からはバッテリベース４１が右側方へ張り出す状態に設けられている。このバッテリベース４１の上面に２組のバッテリ取り付け部３２，３２が相互に背中合わせ状態で設けられている。
図９において上側（左側）のバッテリ取り付け部３２の左側面に沿って１つの１８Ｖバッテリ３１が取り付けられている。また、図９において下側（右側）のバッテリ取り付け部３２の右側面に沿って１つの１８Ｖバッテリ３１が取り付けられている。図１０中白抜き矢印で示すように２個のバッテリ３１，３１の取り付け方向は、切断機本体１０の上死点で前方斜め下方となっている。第３実施形態の卓上切断機Ｃ３によっても、普及度の高い１８Ｖバッテリ３１，３１を流用して３６Ｖ仕様の卓上切断機Ｃ３を利用することができる。
図１１及び図１２には、第４実施形態の卓上切断機Ｃ４が示されている。第４実施形態の卓上切断機Ｃ４は、２個のバッテリ３１，３１の取り付け方向が第３実施形態とは異なっている。ハンドル部２０の後部に台座枠部４０が後方へ張り出す状態に設けられている。この台座枠部４０の上面には第３実施形態よりも右方への張り出し寸法が大きなバッテリベース４２が取り付けられている。このバッテリベース４２の上面に２組のバッテリ取り付け部３２，３２が相互に背中合わせ状態で設けられている。
図１１において上側（左側）のバッテリ取り付け部３２の左側面に沿って１つの１８Ｖバッテリ３１が取り付けられている。図１１において下側（右側）のバッテリ取り付け部３２の右側面に沿って１つの１８Ｖバッテリ３１が取り付けられている。図１２中白抜き矢印で示すように２個のバッテリ３１，３１の取り付け方向は、切断機本体１０の上死点で前方斜め上方となっている。第４実施形態の卓上切断機Ｃ４によっても、普及度の高い１８Ｖバッテリ３１，３１を流用して３６Ｖ仕様の卓上切断機Ｃ４を利用することができる。
【００１４】
図１３及び図１４には、第５実施形態の卓上切断機Ｃ５が示されている。第５実施形態の卓上切断機Ｃ５は、２個のバッテリ３１，３１が切断機本体１０に電源コード５０を介してリモート接続された構成である点で前記第１〜第４実施形態とは異なっている。
第３及び第４実施形態では、台座枠部４０にバッテリベース４１，４２が一体に設けられていた。第５実施形態ではバッテリベース５１は台座枠部４０とは分離されている。バッテリベース５１は、１本の電源コード５０を介して台座枠部４０に接続されている。電源コード５０は、台座枠部４０内に引き込まれて電源回路（コントローラ）に電気的に接続されている。電源コード５０を介してリモート接続されたバッテリベース５１に２組のバッテリ取り付け部３２，３２が横並び状態で配置されている。この両バッテリ取り付け部３２，３２にそれぞれ１８Ｖバッテリ３１を取り付けることができる。
図１４に示すように電源コード５０は、取り付けた２個のバッテリ３１，３１を、当該卓上切断機Ｃ５を設置した同じ作業台Ｆ上に設置させるに足る十分な長さを有している。バッテリベース５１の背面（図示上面、バッテリ取り付け部３２，３２が設けられていない側）５１ａは、平たんな面に精度良く加工されている。また、バッテリ取り付け部３２，３２に取り付けた２個のバッテリ３１，３１を図示するように作業台Ｆ上に設置させると、バッテリベース５１の背面５１ａは設置面Ｆから高さがＨとなって、ベース３の補助テーブル部３ａ，３ａと同一面となるよう当該バッテリベース５１の板厚寸法が設定されている。
図示するようにバッテリベース５１の背面５１ａを上方へ向けて２個のバッテリ３１，３１を片側の補助テーブル部３ａに隣接して作業台Ｆ上に設置しておくことにより、当該バッテリベース５１の背面５１ａを補助テーブル３ａ，３ａをさらに補完する補助テーブルとして機能させることができ、これによりさらに大きな切断材Ｗをより安定した状態で固定することができるようになる。
このように第５実施形態の卓上切断機Ｃ５によっても、他の電動工具に電源として利用され、普及度の高い１８Ｖバッテリ３１，３１を２個用いて３６Ｖ仕様の卓上切断機Ｃ５を利用することができるので、１個の３６Ｖバッテリを用意する場合に比してバッテリコストを低減しつつ、当該３６Ｖ仕様の卓上切断機Ｃ５の利便性及び取り扱い性を高めることができる。
また、第５実施形態の卓上切断機Ｃ５によれば、２個のバッテリ３１，３１を取り付けるためのバッテリベース５１についてバッテリ取り付け機能に加えて補助テーブルとしての機能を併せ持たせることができ、この点で当該卓上切断機Ｃ５の付加価値をより一層高めることができる。
【００１５】
図１５及び図１６には、第６実施形態の卓上切断機Ｃ６が示されている。第６実施形態の卓上切断機Ｃ６は、第２〜第４実施形態と同じくハンドル部２０の後部に設けた台座枠部４０に２個のバッテリ３１，３１を取り付け可能な構成となっている。第６実施形態の卓上切断機Ｃ６では、２個のバッテリ３１，３１が前後方向に並んで、かつその取り付け、取り外し方向を上下方向とした縦向きで取り付けられる。
ハンドル部２０の後部に設けた台座枠部４０にバッテリベース４３が右側方へ張り出す状態に設けられている。このバッテリベース４３の長手方向は、前後方向（台座枠部４０が延びる方向）に沿っている。このバッテリベース４３の上面に２つのバッテリ取り付け部３２，３２がそれぞれ上方へ張り出す起立状態で相互に一定の間隔をおいて前後に並んだ状態で取り付けられている。図１６に示すように切断機本体１０が上死点に位置する状態では、両バッテリ取り付け部３２，３２に対してそれぞれバッテリ３１を前方斜め下方に向けてスライドさせることにより取り付けられる。図示は省略したが、切断機本体１０を下動端位置に保持した状態では、両バッテリ３１，３１の取り付け方向はほぼ鉛直方向になる。
図１７及び図１８には、第７実施形態の卓上切断機Ｃ７が示されている。上記した第６実施形態とは、２個のバッテリ３１，３１の取り付け方向が異なっており、その他の構成については同様に構成されている。切断機本体１０を上死点に位置させた状態において、第６実施形態では図１６に示すようにバッテリ３１，３１の取り付け方向は前方斜め下方となっているが、第７実施形態では図１７に示すように前方斜め上方となっている。また、切断機本体１０の下死点に位置させた状態において、第６実施形態ではバッテリ３１，３１の取り付け、取り外し方向が鉛直方向となるが、第７実施形態では図１８に示すようにバッテリ３１，３１の取り付け、取り外し方向が水平方向となっている。
第７実施形態では、ハンドル部２０の後部に設けられた台座枠部４０にバッテリベース４４が設けられている。このバッテリベース４４の長手方向は、上下方向（台座枠部４０が延びる方向に直交する方向）に沿っている。このバッテリベース４４の後面に２つのバッテリ取り付け部３２，３２がそれぞれ後方へ張り出す状態で相互に一定の間隔をおいて上下二段に並んで取り付けられている。両バッテリ取り付け部３２，３２の下面側にそれぞれ１８Ｖバッテリ３１，３１が取り付けられている。
【００１６】
図１９及び図２０には、第８実施形態の卓上切断機Ｃ８が示されている。第８実施形態では、本体支持部４を構成する左右傾斜支持機構７にバッテリベース４５が設けられている。バッテリベース４５は、左右傾斜機構７の傾斜可動部７ｄと本体支持アーム８の後面間に跨って上方へ起立する状態に設けられている。図２０に示すようにこのバッテリベース４５の後面に２つのバッテリ取り付け部３２，３２がそれぞれ後方へ張り出す状態で相互に一定の間隔をおいて上下二段に並んで取り付けられている。両バッテリ取り付け部３２，３２の下面側にそれぞれ１８Ｖバッテリ３１，３１が取り付けられている。両バッテリ３１，３１は、図２０中白抜き矢印で示すように前方に向けてスライドさせることにより取り付けることができる。
第８実施形態の場合、バッテリ３１，３１の取り付け方向は、切断機本体１０の上死点位置と下死点位置の何れであっても側面視で水平方向に固定されている。この点で第６、第７実施形態とは異なっている。第８実施形態では、切断作業において切断機本体１０を上下に変位させてもバッテリ３１，３１及びバッテリ取り付け部３２，３２の位置は変化しない。但し、左右傾斜支持機構７により切断機本体１０を左方又は右方に傾斜させると、これと一体でバッテリ３１，３１及びバッテリ取り付け部３２，３２が左方又は右方に変位する。
以上のように構成した第６〜第８の各実施形態に係る卓上切断機Ｃ６，Ｃ７，Ｃ８によっても、他の電動工具にも電源として利用される１８Ｖバッテリ３１，３１を２個用いて３６Ｖ仕様の卓上切断機Ｃ６，Ｃ７，Ｃ８を利用することができるので、１個の３６Ｖバッテリを用意する場合に比してバッテリコストを低減しつつ、当該３６Ｖ仕様の卓上切断機Ｃ６，Ｃ７，Ｃ８の利便性及び取り扱い性を高めることができる。
以上説明した第１〜第８実施形態には、さらに変更を加えて実施することができる。例えば、切断機本体１０を前後方向にスライド可能な形態の卓上切断機Ｃ１〜Ｃ８を例示したが、係るスライド機能を備えず、単に切断機本体を上下動させて切断加工を行う形態の卓上切断機についても２個の１８Ｖバッテリを直列接続して定格電圧３６Ｖ仕様の電動モータ１３の電源とすることにより同様の作用効果を得ることができる。
また、２個の１８Ｖバッテリ３１，３１を取り付ける構成を例示したが、定格電圧ｎＶのリチウムイオンバッテリをＮ個直列に取り付けて、出力電圧（ｎ×Ｎ）Ｖの電源とすることができる。
さらに、２個の１８Ｖバッテリ３１，３１を取り付ける部位として、切断作業時の作業性を考慮して主としてハンドル部２０の後部を例示したが、例えば、左右の補助ベース部３ａ，３ａの側部や内部にバッテリ取り付け部３２を設けて、複数個のバッテリを取り付け可能な構成としてもよい。ベース３側に複数個のバッテリ３１〜３１を取り付けることにより、当該卓上切断機の設置状態の安定性を高めることができ、ひいては作業時における当該卓上切断機の作業性及び取り扱い性を高めることができる。
【符号の説明】
【００１７】
Ｃ１…卓上切断機（第１実施形態）
Ｃ２…卓上切断機（第２実施形態）
Ｃ３…卓上切断機（第３実施形態）
Ｃ４…卓上切断機（第４実施形態）
Ｃ５…卓上切断機（第５実施形態）
Ｃ６…卓上切断機（第６実施形態）
Ｃ７…卓上切断機（第７実施形態）
Ｃ８…卓上切断機（第８実施形態）
２…テーブル
３…ベース、３ａ…補助テーブル部
４…本体支持部
５…位置決めフェンス
６…スライドバー、６ａ…固定ねじ
７…左右傾斜支持機構
７ａ…固定レバー、７ｂ…傾斜基台部、７ｃ…左右傾動軸、７ｄ…傾斜可動部
８…本体支持アーム
９…上下傾動軸
１０…切断機本体
１１…本体ケース
１２…回転刃具
１３…電動モータ（定格電圧３６Ｖ）
１６…可動カバー
１８…減速ギヤ部
２０…ハンドル部
２１…メイングリップ部
２２…サブグリップ部
２３…スイッチレバー
２５…コントローラ収容部
３０…バッテリベース
３１…バッテリ（１８Ｖリチウムイオンバッテリ）
３１ａ…レール受け部、３１ｂ，３１ｃ…正負の端子受け部、３１ｄ…コネクタ部
３１ｅ…ロック爪、３１ｆ…アンロックボタン
３２…バッテリ取り付け部
３２ａ…レール部、３２ｂ，３２ｃ…正負の接続端子、３２ｄ…係合凹部
Ｇ…バッテリ３１，３１の重心（側面視）
Ｊ…基準線（切断機本体１０の上下傾動支点を通る鉛直面）
４０…台座枠部
４１…バッテリベース（第３実施形態）
４２…バッテリベース（第４実施形態）
４３…バッテリベース（第６実施形態）
４４…バッテリベース（第７実施形態）
４５…バッテリベース（第８実施形態）
５０…電源コード
５１…バッテリベース、５１ａ…背面
Ｆ…作業台
Ｈ…作業台Ｆから背面５１ａまでの高さ寸法
【図１】
2014148023.tif 000003
【図２】
2014148023.tif 000004
【図３】
2014148023.tif 000005
【図４】
2014148023.tif 000006
【図５】
2014148023.tif 000007
【図６】
2014148023.tif 000008
【図７】
2014148023.tif 000009
【図８】
2014148023.tif 000010
【図９】
2014148023.tif 000011
【図１０】
2014148023.tif 000012
【図１１】
2014148023.tif 000013
【図１２】
2014148023.tif 000014
【図１３】
2014148023.tif 000015
【図１４】
2014148023.tif 000016
【図１５】
2014148023.tif 000017
【図１６】
2014148023.tif 000018
【図１７】
2014148023.tif 000019
【図１８】
2014148023.tif 000020
【図１９】
2014148023.tif 000021
【図２０】
2014148023.tif 000022